(57)【要約】  【課題】  樹脂製の線条ファスナーエレメントから形成したスライドファスナーにおける止部の一部を溶着し、剥離また取付部分の劣化を惹起しない止部を提供する。  【解決手段】  合成樹脂製のモノフィラメントから形成した線条ファスナーエレメント列３をファスナーテープ７の一側縁に装着し、エレメント列３の末端に位置する複数個のファスナーエレメント４の内部に樹脂製の棒状体１４を挿入し、棒状体１４の外端部１７側のみを溶接して溶着部１５を設け、棒状体１４の内端部１８側は溶接せずに非溶着部１６とした上止めまた下止め１１の止部１０を形成し、非溶着部の存在は止部にスライダーが激突しても衝撃を和らげて吸収し、かつ縫糸等に劣化現象を惹起しない、溶着部の存在は止部を溶着一体化して堅牢な止部に仕上げる。【選択図】  図４
2005199056.tif 000002
【特許請求の範囲】
【請求項１】
合成樹脂製の線条ファスナーエレメント列３をファスナーテープ７の一側縁に装着し、ファスナーエレメント列３の末端に位置する複数個のファスナーエレメント４における噛合頭部２０の裏側に位置する噛合空間部２３に合成樹脂製の棒状体１４を挿入し、該棒状体１４を挿入した複数個のファスナーエレメント４のうちのファスナーエレメント４数個と棒状体１４とを溶着して溶着部１５を設け、棒状体１４を挿入した複数個のファスナーエレメント４のうちの棒状体１４が溶着したファスナーエレメント４以外のファスナーエレメント４と棒状体１４とは溶着せずに非溶着部１６としてスライダー２７用の止部１０を形成してなることを特徴とするスライドファスナーの止部。
【請求項２】
棒状体１４の外端部１７に溶着部１５、１５ａを設けてなる請求項１記載のスライドファスナーの止部。
【請求項３】
棒状体１４の外端部１７に溶着部１５として第１溶着部１５ａを設け、棒状体１４の内端部１８に溶着部１５として第２溶着部１５ｂを設け、第１溶着部１５ａと第２溶着部１５ｂとの間に非溶着部１６を設けてなる請求項１記載のスライドファスナーの止部。
【請求項４】
棒状体１４の長さ方向における溶着部１５、１５ａの長さは、棒状体１４の長さの半分以下に形成してなる請求項２記載のスライドファスナーの止部。
【請求項５】
棒状体１４の長さ方向における第１溶着部１５ａの長さは、第２溶着部１５ｂの長さ以上に形成してなる請求項３記載のスライドファスナーの止部。
【請求項６】
棒状体１４の長さ方向における非溶着部１６の長さは、第１溶着部１５ａの長さと第２溶着部１５ｂの長さとの和以下に形成してなる請求項３記載のスライドファスナーの止部。
【請求項７】
棒状体１４の長さ方向における第１溶着部１５ａの長さは、第２溶着部１５ｂの長さおよび非溶着部１６の長さよりも長く形成してなる請求項３記載のスライドファスナーの止部。
【請求項８】
棒状体１４は、隔離状態の線条ファスナーエレメント列３内に挿入して上止め１２を形成してなる請求項１記載のスライドファスナーの止部。
【請求項９】
棒状体１４は、噛合状態の線条ファスナーエレメント列３内に挿入して下止め１１を形成してなる請求項１記載のスライドファスナーの止部。
【発明の詳細な説明】
【技術分野】
【０００１】
この発明は、合成樹脂製のコイルタイプ、ジグザグタイプの線条ファスナーエレメントをファスナーテープの一側縁に取り付けたスライドファスナーおよび隠しスライドファスナーの上止めまたは下止めの止部に関するものである。
【背景技術】
【０００２】
従来、合成樹脂製のコイルタイプまたはジグザグタイプの線条スライドファスナーおよび隠しスライドファスナーにおける上止め、下止めの止部に関し、種々タイプの止部が提案されている。たとえば図１０に示すように線条ファスナーエレメント列の末端部における複数個のエレメントの頭部にわたり、それらのテープ寄りの裏面に断面円形状の合成樹脂片を溶着可能に形成し、合成樹脂片はエレメント列の末端に位置する端部を表面へ曲げて屈曲部を設け、屈曲部の端面がエレメントの表面よりも低く形成し、屈曲部をエレメント列末端のエレメント頭部の側面に形成された湾入した噛合面に溶着したスライドファスナーの止部が知られている。
【０００３】
また、図１１に示すように合成樹脂製のコイルタイプの線条ファスナーエレメント列内に一定長さのフィラメントを挿入し、挿入したフィラメントとファスナーエレメントとを超音波溶接して下止めを形成することが知られている。
【特許文献１】実公昭５６−５１７７３号公報
【特許文献２】中国実用新案登録第１２５４６８．６号説明書
【発明の開示】
【発明が解決しようとする課題】
【０００４】
前述の図１０に示した止部は、合成樹脂片を超音波加工によって線条ファスナーエレメント列の頭部の下面に加圧して溶着するとともに、末端をエレメントの表面側へ屈曲してエレメント頭部の側面に溶着するものであり、合成樹脂片の溶着加工がきわめて面倒で安価に作製することができない。合成樹脂片はエレメントの表面に溶着させたものであるから、使用中に剥離するおそれがあるなど問題がある。
【０００５】
また図１１に示した下止めは、合成樹脂製の線条ファスナーエレメント列内に挿入したフィラメントが全長にわたってファスナーエレメントと溶着しているため、下止め部位のファスナーエレメントを縫着した縫糸が超音波溶接加工によって劣化され、スライドファスナーの開閉に伴う負荷により縫糸が切断しファスナーチエンが破損して長期の使用に耐えられないなど問題がある。
【０００６】
この発明は、上述の問題点を考慮して発明されたものであり、請求項１記載の発明は、合成樹脂製の線条ファスナーエレメント列を装備した通常タイプまたは隠しタイプのスライドファスナーにおけるスライダーの抜脱防止用の上止め、下止めを線条ファスナーエレメントに合成樹脂製の棒状体を挿入した後に、一部を溶着し、止部は脱離損失また劣化現象が影響しない、堅牢で品質がよく安価に作製できるスライドファスナーの止部を提供することが主たる目的である。
【０００７】
請求項２記載の発明は、請求項１記載の発明の目的に加え、止部を形成するのに、線条ファスナーエレメント列の端部に挿入した棒状体の外端部を溶着して溶着部を形成することによって、止部の非溶着部すなわち棒状体の内端部側の縫着糸に線条ファスナーエレメント列と棒状体とを溶着したときの熱が過度に加わることがなく、縫着糸が脆弱化することを防ぐことができるスライドファスナーの止部を提供することが目的である。
【０００８】
請求項３記載の発明は、請求項１記載の発明の目的に加え、止部を形成するのに、線条ファスナーエレメント列の端部に挿入した棒状体における外端部と内端部とを溶着して溶着部を形成することによって、棒状体の両端部からの抜脱を防ぐことができるスライドファスナーの止部を提供することが目的である。
【０００９】
請求項４乃至７記載の発明は、請求項２または３に記載の発明の目的に加え、止部における第１溶着部、第２溶着部、非溶着部の関係形態を特定し、優れた機能を発揮できる止部を備えたスライドファスナーの止部を提供することが目的である。
【００１０】
請求項８記載の発明は、請求項１記載の発明の目的に加え、線条ファスナーエレメント列に合成樹脂製の棒状体を理想的な形で配置し、簡単に上止めを作製できるスライドファスナーの止部を提供することが目的である。
【００１１】
請求項９記載の発明は、請求項１記載の発明の目的に加え、線条ファスナーエレメント列に合成樹脂製の棒状体を理想的な形で配置し、簡単に下止めを作製できるスライドファスナーの止部を提供することが目的である。
【課題を解決するための手段】
【００１２】
前記の目的を達成するため、この発明のうち請求項１記載の発明は、合成樹脂製のモノフィラメントから形成した線条ファスナーエレメント列３をファスナーテープ７の一側縁に装着し、ファスナーエレメント列３の末端に位置する複数個のファスナーエレメント４ここでファスナーエレメントとはファスナーエレメント列のうちの１ピッチのものを指すものであり、複数個のファスナーエレメント４における噛合状態あるいは非噛合状態の噛合頭部２０の裏側に位置する噛合空間部２３に合成樹脂製の棒状体１４、例えばモノフィラメントを挿入し、モノフィラメントを挿入したファスナーチエン１の端部側において、ファスナーエレメント４と棒状体１４とを溶着して溶着部１５を設け、またファスナーエレメント４と棒状体１４とを溶着せずに非溶着部１６を併設してスライダー２７の止部１０を形成したところに特徴があるスライダー２７用の止部１０を主な構成とするものである。
【００１３】
請求項２記載の発明は、請求項１記載の発明の構成に加え、線条ファスナーエレメント列３内に挿入した合成樹脂製のモノフィラメントなどの棒状体１４の外端部１７に溶着部１５、１５ａを設けたスライドファスナーの止部である。
【００１４】
請求項３記載の発明は、請求項１記載の発明の構成に加え、線条ファスナーエレメント列３内に挿入した合成樹脂製のモノフィラメントなどの棒状体１４の外端部１７に溶着部１５として第１溶着部１５ａを設け、棒状体１４の内端部１８に溶着部１５として第２溶着部１５ｂを設け、第１溶着部１５ａと第２溶着部１５ｂとの間に非溶着部１６を設けたスライドファスナーの止部である。
【００１５】
請求項４記載の発明は、請求項２記載の発明の構成に加え、線条ファスナーエレメント列３内に挿入した棒状体１４に形成する溶着部１５、１５ａは、棒状体１４の長さの半分以下になるように形成したスライドファスナーの止部である。
【００１６】
請求項５記載の発明は、請求項３記載の発明の構成に加え、線条ファスナーエレメント列３内に挿入した棒状体１４に形成する第１溶着部１５ａは、第２溶着部１５ｂの長さ以上になるように形成したスライドファスナーの止部である。
【００１７】
請求項６記載の発明は、請求項３記載の発明の構成に加え、線条ファスナーエレメント列３内に挿入した棒状体１４に形成する非溶着部１６は、第１溶着部１５ａの長さと第２溶着部１５ｂの長さとの和以下になるように形成したスライドファスナーの止部である。
【００１８】
請求項７記載の発明は、請求項３記載の発明の構成に加え、線条ファスナーエレメント列３内に挿入した棒状体１４に形成する第１溶着部１５ａは、第２溶着部１５ｂの長さおよび非溶着部１６の長さよりも長くなるように形成したスライドファスナーの止部である。
【００１９】
請求項８記載の発明は、請求項１記載の発明の構成に加え、合成樹脂製のモノフィラメントなどの棒状体１４をファスナーチエン１が左右に隔離された状態の線条ファスナーエレメント列３内の端部に挿入し、ファスナーエレメント４と棒状体１４とを溶接して上止め１２を形成したスライドファスナーの止部である。
【００２０】
請求項９記載の発明は、請求項１記載の発明の構成に加え、合成樹脂製のモノフィラメントなどの棒状体１４をファスナーチエン１が噛合した状態の線条ファスナーエレメント列３内の端部に挿入し、ファスナーエレメント４と棒状体１４とを溶接して下止め１１を形成したスライドファスナーの止部である。
【発明の効果】
【００２１】
この出願の発明の効果として、請求項１記載の発明は、合成樹脂製の線条ファスナーエレメント列をファスナーテープの一側縁に装着し、ファスナーエレメント列の末端に位置する複数個のファスナーエレメントにおける噛合頭部の裏側に位置する噛合空間部に合成樹脂製の棒状体を挿入し、該棒状体を挿入した複数個のファスナーエレメントのうちのファスナーエレメント数個と棒状体とを溶着して溶着部を設け、棒状体を挿入した複数個のファスナーエレメントのうちの棒状体が溶着したファスナーエレメント以外のファスナーエレメントは溶着せずに非溶着部としてスライダー用の止部を形成したことによって、下記の効果を奏する。
【００２２】
この発明は、止部に溶着部を形成したことにより、止部を強固に溶着一体化し堅牢な止部に仕上げることができる効果がある。しかも止部に非溶着部を形成したことにより、止部の内端部分の縫糸に超音波溶接時における発熱による劣化現象を惹起することがなくスライドファスナーの開閉時に生じる、縫糸への負荷集中によっても糸切れしないので長期の使用に耐えられ、品質のよい止部に仕上げることができ、販路の拡大が図れる効果がある。
【００２３】
請求項２記載の発明は、請求項１記載の発明の効果に加え、棒状体の外端部に溶着部を設けたことによって、非溶着部側すなわち棒状体の内端部側の縫着糸が溶着時の熱により脆弱化することを抑え、スライダーが止部に向けて移動し、スライドファスナーが開放状態となったときに最も負荷の加わる止部の内端部側の縫着糸が糸切れすることを未然に防ぐ効果がある。
【００２４】
請求項３記載の発明は、請求項１記載の発明の効果に加え、棒状体の外端部に溶着部としての第１溶着部、また棒状体の内端部に溶着部としての第２溶着部を設け、第１溶着部と第２溶着部との間に非溶着部を設けたことによって、棒状体の両端部、特に棒状体の内端部が、線条ファスナーエレメント列が分離した状態となるスライドファスナーの開放時にエレメント内から抜脱することを未然に防止することができる効果がある。
【００２５】
請求項４乃至７記載の発明は、請求項２または３記載の発明の効果に加え、止部における第１溶着部の長さを棒状体の長さの半分以下、また第２溶着部の長さ以上に形成し、非溶着部の長さを第１溶着部の長さと第２溶着部の長さとの和以下、さらに第１溶着部の長さを第２溶着部の長さおよび非溶着部の長さよりも長く形成するなど、諸条件の溶着部を形成することによって、線条ファスナーエレメント列と棒状体とを有効かつ適切に溶着し、止部として優れた機能を発揮できる効果がる。
【００２６】
請求項８記載の発明は、請求項１記載の発明の効果に加え、棒状体は隔離状態の線条ファスナーエレメント列内に挿入して上止めを形成したことによって、線条ファスナーエレメントが隔離した状態のファスナーストリンガーに簡単に棒状体を採択利用し、容易に上止めを作製できる効果がある。
【００２７】
請求項９記載の発明は、請求項１記載の発明の効果に加え、棒状体は、噛合状態の線条ファスナーエレメント列内に挿入して下止めを形成したことによって、線条ファスナーエレメントが噛合した状態のファスナーチエンに簡単に棒状体を採択利用し、容易に下止めを作製できる効果があるなど、この発明が奏する効果はきわめて顕著である。
【発明を実施するための最良の形態】
【００２８】
この発明におけるスライドファスナーの止部は、図１に示すようにスライドファスナーの上端および下端に取り付ける上止め１２および下止め１１から形成される止部１０であり、スライドファスナーはポリアミド、ポリエステルなどのモノフィラメントをコイル状に捲回してコイル状ファスナーエレメント５を形成し、またモノフィラメントをジグザグ状に屈曲してジグザグ状ファスナーエレメント６を形成して、それぞれ線条ファスナーエレメント列３を形成する。この線条ファスナーエレメント列３をファスナーテープ７の一側縁に縫糸８によって縫着し、通常タイプのコイルスライドファスナーまたはジグザグスライドファスナーに仕上げる。また線条ファスナーエレメント列３をファスナーテープ７の一側縁に形成した折返部２５の面上に縫糸８によって縫着して隠しスライドファスナーに仕上げることもできる。
【００２９】
止部１０は、ファスナーエレメント４と同質素材のポリアミド、ポリエステルのモノフィラメントから形成された棒状体１４をスライドファスナーのサイズによって適宜長さにカットして形成し、この棒状体１４を線条ファスナーエレメント列３の端部における複数個のファスナーエレメント４の噛合頭部２０の裏側に存在する噛合空間部２３に挿入する。噛合空間部２３とは、一対のファスナーストリンガ２の対向するファスナーエレメント４同士が噛合した時に、相手方のファスナーエレメント４の噛合頭部２０における膨出部分が入り込む空間であり、噛合空間部２３はファスナーエレメント４が噛合状態の場合も非噛合状態の場合でも存在するので、この噛合空間部２３を利用して棒状体１４を挿入する。噛合空間部２３に挿入された棒状体１４は、線条ファスナーエレメント列３の末端部側に位置する外端部１７と、外端部１７とは反対側で、線条ファスナーエレメント列３の内方側に位置する内端部１８とを有し、外端部１７側に位置する数ピッチのファスナーエレメント４と棒状体１４とを超音波加工機による超音波溶接によって溶着して溶着部１５を形成し、また内端部１８側に位置する数ピッチのファスナーエレメント４と棒状体１４とは溶着せずに非溶着部１６を形成して、上止め１２または下止め１１のスライダー用の止部１０を形成する。
【００３０】
止部１０の上端側は、線条ファスナーエレメント列３がスライダー２７の摺動により噛合又は分離される際に、縫糸８に引っ張り力や捻り力等の負荷が集中する部分である。従って、止部１０の上端側に棒状体１４の非溶着部１６を形成し、下端側に溶着部１５を形成したところに特徴がある。非溶着部１６付近の縫糸８は超音波溶接時の熱による影響を一切受けていないので劣化が生じてなく、スライドファスナーの開閉動作によって縫糸８が切れてしまうことがない。また止部１０の下端側には負荷がそれほど加わらないので、仮に縫糸８が超音波溶接時の熱で劣化していたとしても切れる恐れがなく、溶着部１５によってファスナーエレメント４と棒状体１４とが溶着一体化して堅牢な止部１０に形成することができる形態のスライドファスナーの止部である。
【００３１】
さらに、この発明の止部は、図８に示すように噛合状態の線条ファスナーエレメント列３の端部に棒状体１４を挿入し、この棒状体１４の外端部１７にファスナーエレメント４と棒状体１４とを溶着した溶着部１５として第１溶着部１５ａを設け、また棒状体１４の内端部１８にファスナーエレメント４と棒状体１４とを溶着した溶着部１５としての第２溶着部１５ｂを設け、第１溶着部１５ａと第２溶着部１５ｂとの間にファスナーエレメント４と棒状体１４とを溶着しない非溶着部１６を形成して、噛合空間部２３に挿入した棒状体１４の両端部１７、１８が抜脱しないように形成し、かつスライダー２７か止部１０に激突しても非溶着部１６が僅かに撓んで衝撃を吸収し緩和できるスライドファスナーの下止め１１としての止部を形成することもできる。
【実施例１】
【００３２】
図１〜４に示す実施例１のスライドファスナーの止部について説明すると、ファスナーチエン１は、ポリアミド、ポリエステルのモノフィラメントをコイル状に捲回してコイル状ファスナーエレメント５を形成し、このコイル状ファスナーエレメント５内に芯紐９を挿通して線条ファスナーエレメント列３を形成し、この線条ファスナーエレメント列３をファスナーテープ７の一側縁の上面へ２本針３本糸の二重環縫タイプの縫糸８によって縫着し取り付けて連続ファスナーチエン１を形成する。この連続ファスナーチエン１を所定長さ毎にコイル状ファスナーエレメント５をカットしてファスナーテープ７の一側縁の上面にコイル状ファスナーエレメント５が存在しないスペース部を設け、このスペース部におけるファスナーテープ７をカットして単位長さのファスナーチエン１を完成する。
【００３３】
ファスナーチエン１の一端におけるコイル状ファスナーエレメント５が噛合した状態の噛合頭部２０の裏側に存在する噛合空間部２３にコイル状ファスナーエレメント５と同質素材のモノフィラメントから形成された棒状体１４を所定の長さにカットし、この棒状体１４を挿入して超音波加工機によって超音波溶接するが、超音波溶接は挿入された棒状体１４の外端部１７側、すなわち止部１０の下端部となる部分のみをコイル状ファスナーエレメント５と溶着し、超音波溶接はコイル状ファスナーエレメント５の表側から行うことで、エレメント５の表面にわずかにくぼんだ溶着部１５が形成される。また棒状体１４の内端部１８側、すなわち止部１０の上端部となる部分は、コイル状ファスナーエレメント５とは溶着することなく非溶着部１６を形成することによって下止め１１を形成してスライダー用の止部１０が完成する。この実施例においては、噛合空間部２３は、噛合頭部２０と、噛合頭部２０の上端と下端に連結された上下脚部２１と、同エレメント５内に挿通された芯紐９とにより囲まれた空間である。
【００３４】
スライダー用の止部１０は、図４に示すようにファスナーチエン１をスライダー２７によって開口する場合、スライダー２７がコイル状ファスナーエレメント５を分離させながら止部１０に達すると、止部１０を構成する複数のファスナーエレメント４には噛合空間部２３に棒状体１４が挿入されているので分離することなく、スライダー２７の摺動を停止させる。このとき非溶着部１６に存在する縫糸８は超音波溶接の加熱を受けず劣化されないから強固にコイル状ファスナーエレメント５を固定する。また止部１０の溶着部１５は左右のコイル状ファスナーエレメント５を棒状体１４によって溶着一体化されているので、強固堅牢な下止め１１を形成し、縫糸８が超音波溶接の際、多少加熱されたとしてもごく僅かな範囲であり、スライドファスナーの開閉動作により縫糸８が切れてしまうことがない下止め１１である。
【００３５】
一つの実例を示せば、モノフィラメントの棒状体１４の長さは約７ｍｍであり、そのうち溶着部１５の長さは約３ｍｍ、非溶着部１６の長さは約４ｍｍとするのが好ましい。
【００３６】
図示はしないが、コイル状ファスナーエレメントをファスナーテープを織成すると同時に、ファスナーテープの一側に織り込んで織成する織込みスライドファスナーにおいても、同様の形態の止部を形成することができる。さらにまたコイル状ファスナーエレメントを経編みテープを編成すると同時に、テープの一側に編み込んで編成する編込みスライドファスナーにおいても、同様の形態の止部を形成することができる。
【実施例２】
【００３７】
図５に示す実施例２のスライドファスナーは、コイル状ファスナーエレメント５がファスナーテープ７の表面から見えない隠しスライドファスナーに関するものであり、ファスナーテープ７は一側が反転されて折返部２５を形成し、この折返部２５の表面にコイル状ファスナーエレメント５に芯紐９を挿通して縫糸８によって縫着し、連続隠しファスナーチエン１を形成する。この連続隠しファスナーチエン１におけるコイル状ファスナーエレメント５を所定の間隔でカットしてスペース部を設け、このスペース部におけるファスナーテープ７をカットして所定の長さの隠しファスナーチエン１を作製する。
【００３８】
隠しファスナーチエン１の一端における噛合頭部２０が噛合した状態の噛合頭部２０の裏側に存在する噛合空間部２３内へコイル状ファスナーエレメント５と同質素材のモノフィラメントから形成された所定長さの棒状体１４を挿入し、棒状体１４を超音波溶接によって外端部１７側のみを溶着した溶着部１５と、内端部１８側は溶着しない非溶着部１６とを形成することによって、隠しファスナーチエン１に下止め１１を形成してスライダー用の止部１０を形成する。作用、機能については前例と同様である。この実施例においては、噛合空間部２３は、噛合頭部２０と、噛合頭部２０の上端と下端に連結された上下脚部２１と、上下脚部２１により挟持されたファスナーテープ７の側端縁とにより囲まれた空間である。
【実施例３】
【００３９】
図６に示す実施例３のスライドファスナーは、ジグザグ状ファスナーエレメント６を用いたジグザグタイプのスライドファスナーであり、樹脂製のモノフィラメントをジグザグ状に屈曲してジグザグ状ファスナーエレメント６を形成し、このジグザグ状ファスナーエレメント６をファスナーテープ７の一側縁を表裏から挟持し、跨乗した状態で脚部２１間を縫糸８によって縫着し取り付けて連続ファスナーチエン１を形成する。この連続ファスナーチエン１を所定長さ間隔でジグザグ状ファスナーエレメント６をカットしてスペース部を設け、このスペース部におけるファスナーテープ７をカットして単位長さのファスナーチエン１を作製する。
【００４０】
ファスナーチエン１の端部における左右のジグザグ状ファスナーエレメント６が噛合した状態の噛合頭部２０の裏側に存在する噛合空間部２３にジグザグ状ファスナーエレメント６と同質素材のモノフィラメントから形成した所定長さの棒状体１４を挿入し、この棒状体１４の外端部１７側をファスナーエレメント４の表裏から超音波溶接して、エレメント６の表裏面がわずかにくぼんだ溶着部１５を形成し、また内端部１８側は溶接せずに非溶着部１６を形成して下止め１２としての止部１０を形成する。作用、機能については前例と同様である。
【００４１】
また、図示はしないが、ジグザグ状ファスナーエレメントを重合してファスナーテープの一側縁上に縫糸によって縫着し取り付けてジグザグタイプのスライドファスナーを形成してもよい。
【実施例４】
【００４２】
図７に示す実施例４のスライドファスナーは、コイル状ファスナーストリンガー２の端部に形成した上止め１２のスライダー用止部１０に関するものである。上止め１２はファスナーストリンガー２の上端部、例えば図１に示すように端部のコイル状ファスナーエレメント５の噛合頭部２０の裏側に存在する噛合空間部２３に、コイル状ファスナーエレメント５と同質素材のモノフィラメントから形成された所定長さの棒状体１４を挿入し、この棒状体１４の外端部１７側、すなわち止部１０の上端部となる部分の数ピッチのコイル状ファスナーエレメント５と棒状体１４とを超音波溶接して溶着部１５を形成し、内端部１８側、すなわち止部１０の下端部となる部分の数ピッチのコイル状ファスナーエレメント５と棒状体１４とは溶接せずに非溶着部１６を形成した上止め１２としての止部１０である。
【００４３】
上止め１２は左右のファスナーストリンガー２に設置してもよいが、一方側のファスナーストリンガー２に設置してもよい。上止め１２は噛合相手となるファスナーエレメント４の噛合頭部２０が上部１０側の噛合頭部２０間へ進入できないように形成すればよい。完成された上止め１２は非溶着部１６では、縫糸８が加熱され劣化されていないから、コイル状ファスナーエレメント５を強固に固定し、かつ溶着部１５はコイル状ファスナーエレメント５と棒状体１４とを溶着一体化され強固堅牢な上止め１２に仕上げることができ、スライダー用の止部１０として有効に活用できる。
【実施例５】
【００４４】
図８、９に示す実施例５のスライドファスナーは、コイル状ファスナーエレメント５をファスナーテープ７の側縁に縫糸８で逢着して線条ファスナーエレメント列３を備えたファスナーチエン１を形成する。形成されたファスナーチエン１は、ファスナーエレメント５が噛合した状態の線条ファスナーエレメント列３の端部に噛合頭部２０の裏側の噛合空間部に合成樹脂製のモノフィラメントから形成された棒状体１４を所定の長さにカットして挿入し、超音波加工などによって溶着部１５を形成する。
【００４５】
溶着部１５は棒状体１４の外端部１７側に数個のファスナーエレメント４と棒状体１４とが溶着した第１溶着部１５ａを設け、また棒状体１４の内端部１８側に複数個のファスナーエレメント４と棒状体１４とが溶着した第２溶着部１５ｂを設ける。この際第２溶着部１５ｂは棒状体１４の内端部１８よりも外側のファスナーエレメント４同士も溶着して第２溶着部１５ｂを形成する。
【００４６】
線条ファスナーエレメント列３の端部に形成された溶着部１５は棒状体１４の外端部１７側に第１溶着部１５ａ、内端部１８側に第２溶着部１５ｂを設け、この第１溶着部１５ａと第２溶着部１５ｂの間にファスナーエレメント４と棒状体１４とを溶着しない非溶着部１６を設ける。このように第１溶着部１５ａ、第２溶着部１５ｂ、非溶着部１６から形成された止部はスライドファスナーの下止め１１として用い、下止め１１に非溶着部１６を設けることにより、ファスナーエレメント４と棒状体１４とが過度に溶着することがなく、溶着した棒状体１４とファスナーエレメント４とが脆弱化して破損することがない。また下止め１１が硬直化することがなくスライダー２７が激突しても衝撃をよく吸収して緩和させ破損を防止する。
【００４７】
さらに、図９に示すように、ファスナーエレメント４が左右に分離して、ファスナーチエン１が開放された状態となった場合に、棒状体１４の内端部１８が溶着していることから、ファスナーエレメント４の噛合空間部２３内から抜脱することがなく、ファスナーエレメント４が噛合する際に噛合不良が発生することがない。
【００４８】
ここで、棒状体１４の長さ方向における第１溶着部１５ａと、第２溶着部１５ｂと、非溶着部１６の長さ関係は、第１溶着部１５ａが最も長く、第２溶着部１５ｂと非溶着部１６は同じ長さとなっている。ただし、ファスナーエレメント４に棒状体１４が挿入する部分においては、第１溶着部１５ａが最も長く、次いで非溶着部１６が長く、第２溶着部がもっと短くなっている。
【００４９】
具体的な例を挙げると、棒状体１４の長さＢは７ｍｍで、溶着部の全長Ａは８ｍｍである。そして、第１溶着部１５ａの長さａ1 は４ｍｍ、第２溶着部の長さａ3 は２ｍｍ、非溶着部１６の長さａ2 は２ｍｍである。第２溶着部１５ｂは２ｍｍの長さのうち、棒状体１４と１ｍｍの長さで溶着している。
【００５０】
各部の長さ関係は上記長さに限定されず、例えば第１溶着部１５ａと第２溶着部１５ｂの長さを同じ長さとして、非溶着部１６の長さを第１溶着部１５ａと第２溶着部１５ｂの各々よりも長く、かつ、第１溶着部１５ａと第２溶着部１５ｂとの和と同じ長さとしても良い。
【００５１】
具体的な例を挙げると、棒状体１４の長さＢは７ｍｍ、溶着部全長Ａは８ｍｍとし、第１溶着部１５ａの長さａ1 を２ｍｍ、第２溶着部の長さａ3 を２ｍｍ、非溶着部１６の長さａ2 を４ｍｍとする。第２溶着部１５ｂは２ｍｍの長さのうち、棒状体１４と１ｍｍの長さで溶着する。
【００５２】
上記具体例では、溶着部全体の長さが非溶着部の長さ以上であり、非溶着部１６の長さは第１溶着部１５ａと第２溶着部１５ｂの和以下の長さである。これにより棒状体１４とファスナーエレメント４との溶着強度を確保する。
【００５３】
好ましくは棒状体１４の外端部１７とファスナーエレメント４とを溶着した第１溶着部１５ａを最も長くすることである。これにより、第１溶着部１５ａは、スライダー２７が下止め１１に当接し、下止め１１に隣接する左右のファスナーエレメント４が押し広がられたときに、最も負荷のかかりにくい位置に有り、下止め１１の破損が防止される。
【００５４】
また、棒状体１４と第１および第２の溶着部１５ａ，１５ｂの幅方向における寸法関係は、棒状体１４の幅よりも各溶着部１５ａ、１５ｂの幅が広く、各溶着部１５ａ、１５ｂの幅内に棒状体１４の幅が収まる寸法となっている。
【００５５】
具体例を挙げると、棒状体１４の直径、すなわち幅が６ｍｍであるのに対し、各溶着部１５ａ、１５ｂの幅は１０ｍｍとなっている。棒状体１４はファスナーエレメント４との溶着時に押圧され変形して、その幅が上記寸法よりも増大し、各溶着部１５ａ、１５ｂにおいてファスナーエレメント４と広幅の範囲で強固に溶着することができる。
【産業上の利用可能性】
【００５６】
この発明のスライドファスナーにおける止部は、ポリアミド、ポリエステルのモノフィラメントから形成されたコイルタイプ、ジグザグタイプの線条ファスナーエレメントをファスナーテープの一側縁に取り付け、通常タイプまた隠しタイプのスライドファスナーに仕上げ、このスライドファスナーの上止め、下止めであり、止部はスライダーの摺動による負荷でファスナーエレメントをファスナーテープへ取り付けた取付糸が糸切れしないとともに、止部の端部を強固堅牢に溶着一体化し、かつ止部は金属を一切用いず、表面にバリがない止部であるから、特に衣服用のスライドファスナーに適し活用できる。
【図面の簡単な説明】
【００５７】
【図１】通常タイプのスライドファスナーの正面図である。
【図２】同上スライドファスナーにおける下止めの正面図である。
【図３】同上スライドファスナーの下止めの図２のＡ−Ａ断面図である。
【図４】同上スライドファスナーの作用を示した一部切欠した正面図である。
【図５】隠しタイプのスライドファスナーにおける下止めの断面図である。
【図６】ジグザグタイプのスライドファスナーにおける下止めの断面図である。
【図７】通常タイプのファスナーストリンガーに上止めを示す正面図である。
【図８】他の通常タイプのスライドファスナーにおける下止めの正面図である。
【図９】同上スライドファスナーの作用を示した一部切欠した正面図である。
【図１０】公知のスライドファスナーの下止めの断面図である。
【図１１】他の公知のスライドファスナーの下止めの正面図である。
【符号の説明】
【００５８】
３            線条ファスナーエレメント列
４            ファスナーエレメント
５            コイル状ファスナーエレメント
６            ジグザグ状ファスナーエレメント
７            ファスナーテープ
８            縫糸
１０            止部
１１            下止め
１２            上止め
１４            棒状体
１５            溶着部
１５ａ          第１溶着部
１５ｂ          第２溶着部
１６            非溶着部
１７            外端部
１８            内端部
２０            噛合頭部
２３            噛合空間部
２７            スライダー
【図１】
2005199056.tif 000003
【図２】
2005199056.tif 000004
【図３】
2005199056.tif 000005
【図４】
2005199056.tif 000006
【図５】
2005199056.tif 000007
【図６】
2005199056.tif 000008
【図７】
2005199056.tif 000009
【図８】
2005199056.tif 000010
【図９】
2005199056.tif 000011
【図１０】
2005199056.tif 000012
【図１１】
2005199056.tif 000013